(57)【要約】      （修正有）【課題】プールの底部を補強すると共に該底部に衝撃緩和作用を附与したビニール製遊戯用プールを提供する。【解決手段】空気の注入又は排出により膨縮する側壁部２と、該側壁部２の下部に設けた底部シート６とからなり、該側壁部２に空気を注入することによりこれを立ち上げ、これに囲まれた内部を水収容部とするようになしたビニール製遊戯用プールである。該プールの前記底部シート６の下面に、適宜の厚味の発泡性塩化ビニールシートを重合する。また、前記側壁部２の下端と、前記底部シート６の外縁と、前記発泡性塩化ビニールシートの外縁とを熱融着により接合する。また、前記底部シート６における前記側壁部２に囲まれた部分の上面に、薄手のビニールシート９等を重合し、該薄手のビニールシート９等の外縁と、前記底部シート６及び発泡性塩化ビニールシートとを熱融着により接合する。【選択図】図１
0003167430.tif 000002
【実用新案登録請求の範囲】
【請求項１】
空気の注入又は排出により膨縮する側壁部と、該側壁部の下部に設けた底部シートとからなり、該側壁部に空気を注入することによりこれを立ち上げ、これに囲まれた内部を水収容部とするようになしたビニール製遊戯用プールにおいて、前記底部シートの下面に適宜の厚味の発泡性塩化ビニールシートを重合したことを特徴とするビニール製遊戯用プール。
【請求項２】
前記側壁部の下端と、前記底部シートの外縁と、前記発泡性塩化ビニールシートの外縁とを熱融着により接合してなる請求項１記載のビニール製遊戯用プール。
【請求項３】
前記底部シートにおける前記側壁部に囲まれた部分の上面に、薄手のビニールシートを複数重合し、該薄手のビニールシートの外縁と、前記底部シート及び前記発泡性塩化ビニールシートとを熱融着により接合してなる請求項１又は２記載のビニール製遊戯用プール。
【考案の詳細な説明】
【技術分野】
【０００１】
本考案は側壁部に空気を注入して膨らませることにより使用する折り畳み自在なビニール製遊戯用プールに関するものである。
【背景技術】
【０００２】
家庭の庭先等に設置して幼児の水浴や水遊び等に用いるものとして、側壁部に空気を注入して膨らませることにより使用する折り畳み自在なビニール製遊戯用プールがある。
【０００３】
そしてまた、斯かるビニール製遊戯用プールは空気の注入又は排出により膨縮する側壁部と、該側壁部の下部に設けた底部シートとからなり、該側壁部に空気を注入することによりこれを立ち上げ、これに囲まれた内部を水収容部とするようになしたものである。
【０００４】
ところで、斯かるビニール製遊戯用プールは、日当たりやその他の事情に応じて設置場所を移動させる場合がある。このとき、プール内に水が入っている状態で引っ張ってずらすと、水の重量による上部からの圧力によって底部シートの下面が地面に強く擦れることになる。そして、従来のプールにおける底部シートは薄い一枚のビニールであるから強度的に弱く、擦れるとすぐに損傷し易かった。また、プールの設置場所の地面に石ころ等による突起があると、底部シートがこの突起に強く接触し、角張ったものの場合には破断する虞があった。これらのことから、従来のビニール製遊戯用プールは長持ちせず、すぐに買い替えざるを得なかった。
【０００５】
また、幼児はプールの中で寝ころんだり、立ったり、座ったりするが、時には夢中になって勢いよくこれらの動作をすることがある。また、誤って転倒することもある。これらのときにおいて、前記の如くプールを設置した場所の地面に石ころ等による突起があると、底部シートは薄い一枚のビニールシートであることから衝撃緩和作用が殆どなく、幼児の身体に突起が強く当たることになる。そして、これにより幼児が痛がったり、負傷したりすることがある。また、プールの底部がゴツゴツして遊び心地も悪かった。
【０００６】
また、プールに水を入れると側壁部は水圧によって外側へ拡がる力が加わるが、このとき該側壁部の下端と底部シートの外縁との接合部分にも大きな圧力がかかることになる。そして、この圧力は水量が多くなる程大きくなる。
【０００７】
然るに、従来における側壁部と底部シートとの接合部分は、底部シートが側壁部と同様の薄手の一枚のビニールであるに過ぎないことから、接合力がきわめて弱い。このため、水を大量に入れると接合部分の一部が破断し易かった。また、控え目に水を入れたとしても幼児が水中で激しく動くと、やはり同様の事態を起こす虞があった。
【考案の概要】
【考案が解決しようとする課題】
【０００８】
本考案は上記の点に鑑みなされたものであって、底部シートの下面に適宜の厚味の発泡性塩化ビニールシートを接合することによって、プールの底部を補強すると共に該底部に衝撃緩和作用を附与し、もって上記問題点を悉く解消することができるようになしたビニール製遊戯用プールを提供しようとするものである。
【課題を解決するための手段】
【０００９】
而して、本考案の要旨とするところは、空気の注入又は排出により膨縮する側壁部と、該側壁部の下部に設けた底部シートとからなり、該側壁部に空気を注入することによりこれを立ち上げ、これに囲まれた内部を水収容部とするようになしたビニール製遊戯用プールにおいて、前記底部シートの下面に適宜の厚味の発泡性塩化ビニールシートを重合したことを特徴とするビニール製遊戯用プールにある。
【００１０】
また、上記構成において、前記側壁部の下端と、前記底部シートの外縁と、前記発泡性塩化ビニールシートの外縁とを熱融着により接合するようになしてもよい。
【００１１】
また、上記構成において、前記底部シートにおける前記側壁部に囲まれた部分の上面に、薄手のビニールシートを複数重合し、該薄手のビニールシートの外縁と、前記底部シート及び前記発泡性塩化ビニールシートとを熱融着により接合するようになしてもよい。
【考案の効果】
【００１２】
本考案は上記の如き構成であり、底部シートの下面に適宜の厚味の発泡性塩化ビニールシートを重合したものであるから、プールの底部を補強すると共に該底部に衝撃緩和作用を附与することができるものである。したがって、プールの設置場所を移動させるときに横に引きずっても、底部シートはその下面が発泡性塩化ビニールシートによって補強されているから損傷することがない。また、プールの設置場所の地面に石ころ等による突起があっても、発泡性塩化ビニールシートが介在することによって底部シートが石ころ等の突起に直接当たることがなく、もって突起が角張っている場合にも破断する虞がないものである。
【００１３】
また、プールの底部には、底部シートの下面に設けた発泡性塩化ビニールシートによって衝撃緩和作用が附与されているから、地面に石ころ等による突起がある場所にプールを設置したとしても、幼児が寝ころんだり、立ったり、座ったりするときにおいて、身体が突起に強く当たることがなく、快適に遊ぶことができる。且つまた、プール内で誤って転倒するようなことがあったとしても、負傷の程度を軽減することができるものである。
【００１４】
また、側壁部の下端と、底部シートの外縁と、発泡性塩化ビニールシートの外縁とを熱融着により接合するようになした場合には、側壁部の下端と底部シートの外縁との接合部分の強度を高めることができる。即ち、側壁部の下端と底部シートの外縁と、更に該底部シートに重なる発泡性塩化ビニールシートとの三者が熱融着により一体的に接合されるから、側壁部の下端と底部シートの外縁との接合部分は、従来に比してはるかに接合強度が高められる。したがって、プール内に従来よりも多く水を入れることができ、そして水を大量に入れた状態において幼児が水中で激しく動いても、従来の如き接合部分の一部が破断する事態は起こらないものである。
【００１５】
また、底部シートにおける側壁部に囲まれた部分の上面に、薄手のビニールシートを複数重合し、該薄手のビニールシートの外縁と、底部シート及び発泡性塩化ビニールシートとを熱融着により接合した場合には、プールの底部の更なる補強と衝撃緩和作用の向上を図ることができるものである。
【図面の簡単な説明】
【００１６】
【図１】本考案の実施形態に係るビニール製遊戯用プールの上方側から看た斜視図である。
【図２】同下方側から看た斜視図である。
【図３】同底部の部分拡大断面図である。
【図４】図３中Ａ部分の拡大図である。
【考案を実施するための形態】
【００１７】
以下、本考案を実施するための形態について、図面を参照して説明する。
【００１８】
図中、１はビニール製遊戯用プールである。また、該ビニール製遊戯用プール１は、後記空気の注入又は排出により膨縮する側壁部と、該側壁部の下部に設けた底部シートとからなり、該側壁部に空気を注入することによりこれを立ち上げ、これに囲まれた内部を水収容部とするものである。
【００１９】
２は側壁部である。また、本実施形態における側壁部２は、熱融着によって上下三段にリング状の側壁構成部３、３、３を形成し、夫々のリング状の側壁構成部３、３、３に注入・排出用の空気弁４を備えたものである。尚、５は熱融着部分を示す。
【００２０】
そして、該側壁部２は、使用するときには、注入・排出用の空気弁４から空気を注入してリング状の側壁構成部３を夫々膨らませ、また、折り畳んで仕舞うときには、注入・排出用の空気弁４から空気を排出するものである。
【００２１】
６は前記側壁部２の下部に設けた円形の底部シートである。７は前記底部シート６の下面に重合した適宜の厚味の発泡性塩化ビニールシートである。
【００２２】
また、本実施形態においては、図４に示す如く、側壁部２の下端と、底部シート６の外縁と、発泡性塩化ビニールシート７の外縁とを熱融着により接合している。尚、８は熱融着部分を示す。これにより側壁部２の下端と、底部シート６の外縁と、更に該底部シート６に重なる発泡性塩化ビニールシート７との三者が熱融着により一体的に接合されるから、側壁部２の下端と底部シート６の外縁との接合部分の接合強度が大幅に高められることになる。
【００２３】
更にまた、本実施形態においては、底部シート６における側壁部２に囲まれた部分の上面に、二枚の薄手のビニールシート９、１０を重合し、該薄手のビニールシート９、１０の外縁と、底部シート６及び発泡性塩化ビニールシート７とを熱融着により接合している。尚、１１は熱融着部分を示す。これによりプールの底部の更なる補強と衝撃緩和作用の向上を図ることができる。
【００２４】
１２はプールの底部に備えた排水弁であり、前記薄手のビニールシート９、１０と、底部シート６及び発泡性塩化ビニールシート７とを貫通させた状態で備えている。
【００２５】
而して、本実施形態は上記の如く底部シート６の下面に適宜の厚味の発泡性塩化ビニールシート７を重合させているから、プールの底部を補強すると共に該底部に衝撃緩和作用を附与することができるものである。したがって、プールの設置場所を移動させるときに横に引きずっても、底部シート６はその下面が発泡性塩化ビニールシート７によって補強されているから損傷することがない。また、プールの設置場所の地面に石ころ等による突起があっても、発泡性塩化ビニールシート７が介在することによって底部シート６が石ころ等の突起に直接当たることがなく、もって突起が角張っている場合にも破断する虞がないものである。
【００２６】
また、プールの底部には、底部シート６の下面の発泡性塩化ビニールシート７によって衝撃緩和作用が附与されているから、地面に石ころ等による突起がある場所にプールを設置したとしても、幼児が寝ころんだり、立ったり、座ったりするときにおいて、身体が突起に強く当たることがなく、快適に遊ぶことができる。且つまた、プール内で誤って転倒するようなことがあったとしても、負傷の程度を軽減することができるものである。
【００２７】
また、側壁部２の下端と、底部シート６の外縁と、発泡性塩化ビニールシート７の外縁とを熱融着により接合しているから、側壁部２の下端と底部シート６の外縁との接合部分の強度を高めることができる。即ち、側壁部２の下端と底部シート６の外縁と、更に該底部シート６に重なる発泡性塩化ビニールシート７との三者が熱融着８により一体的に接合されるから、側壁部２の下端と底部シート６の外縁との接合部分は、従来に比してはるかに接合強度が高められる。したがって、プール内に従来よりも多く水を入れることができ、そして水を大量に入れた状態において幼児が水中で激しく動いても、従来の如き接合部分の一部が破断する事態は起こらないものである。
【００２８】
また、底部シート６における側壁部２に囲まれた部分の上面に、薄手のビニールシート９、１０を重合し、該薄手のビニールシート９、１０の外縁と、底部シート６及び発泡性塩化ビニールシート７とを熱融着１１により接合しているから、プールの底部の更なる補強と衝撃緩和作用の向上を図ることができるものである。
【符号の説明】
【００２９】
１  ビニール製遊戯用プール
２  側壁部
３、３、３  リング状の側壁構成部
４  注入・排出用の空気弁
５  熱融着部分
６  円形の底部シート
７  発泡性塩化ビニールシート
８  熱融着部分
９、１０  薄手のビニールシート
１１  熱融着部分
１２  排水弁
【図１】
0003167430.tif 000003
【図２】
0003167430.tif 000004
【図３】
0003167430.tif 000005
【図４】
0003167430.tif 000006